(57)【要約】【課題】  光触媒の表面積を大きく確保することができると共にその取扱いが容易な浄化装置の実現。【解決手段】  平板状の透光性導光板11及び該透光性導光板11の表面上及び裏面上に配置した透明板12とで構成された第１の面状発光部13と、上記透光性導光板11の一端面11ａに沿って配置された光源14を備え、上記第１の面状発光部13の表面及び裏面に、略六角形の透孔22を多数備えたハニカム状構造の多孔体24を積層し、該多孔体24を構成する各透孔22の内壁面、及び各透孔22に囲繞された第１の面状発光部13の表面及び裏面に、アナターゼ型の酸化チタン（ＴｉＯ２）より成る光触媒26を被着・担持させた浄化装置10。【選択図】        図１
2005103349.tif 000002
【特許請求の範囲】
【請求項１】
光触媒活性化作用を有する波長の光を出射する面状発光部を備えた浄化装置であって、上記面状発光部の外表面に、透孔を多数備えた多孔体を積層すると共に、該多孔体を構成する各透孔の内壁面及び各透孔に囲繞された面状発光部の外表面に光触媒を担持させたことを特徴とする浄化装置。
【請求項２】
上記面状発光部の外表面が、曲面と成されていることを特徴とする請求項１に記載の浄化装置。
【発明の詳細な説明】
【技術分野】
【０００１】
この発明は、酸化チタン（ＴｉＯ２）等の光触媒を用いて空気や水の浄化を行う浄化装置に関する。
【背景技術】
【０００２】
酸化チタン（ＴｉＯ２）等の光触媒は、紫外線等の光の照射を受けると活性化して強力な酸化還元作用を生じ、窒素酸化物（ＮＯＸ）、硫黄酸化物（ＳＯＸ）等の有害化合物や汚濁物等を効果的に分解する作用を発揮するものであることから、この光触媒を利用した浄化装置が従来から用いられている。
ところで、上記光触媒による有害化合物や汚濁物等の分解は、これら有害化合物や汚濁物等が光触媒に接触することによって生じる作用である。従って、光触媒による空気や水の浄化能力を向上させるためには、光触媒の表面積をできるだけ拡大することが望ましい。
【０００３】
そこで、本出願人は、先に、導光板と、光源とを備え、上記導光板の表面側及び／又は裏面側に、表面を光触媒で被覆された多数の繊維状体を立設状態で配置して成る浄化装置を提案した（特願２００３−８２７６５号）。
図８及び図９に示すように、この浄化装置70は、導光板72と、該導光板72の一端面72ａに沿って配置された光源74と、該光源74の外側方を覆う反射板76を備えている。また、上記光源74の配置される導光板72の一端面72ａ以外の端面には反射テープ78が被着されている。
上記導光板72の表面及び裏面には、略円錐形状の反射凹部80が多数形成されている。この反射凹部80は、導光板72の一端面72ａから入射してきた光を導光板72の表面側及び裏面側に反射させて、導光板72の表面及び裏面全体から光を均一に放射させるために設けられたものである。
【０００４】
さらに、導光板72の表面上及び裏面上に透明板82を配置し、斯かる導光板72及び透明板82とで面状発光部が構成されていると共に、図９に拡大して示すように、面状発光部を構成する上記透明板82の表面に、酸化チタン（ＴｉＯ２）等より成る光触媒84で被覆された多数の細長い繊維状体86が、接着剤88を介して、上記透明板82表面に対して略垂直に立設状態で被着されている。この結果、導光板72の表面側及び裏面側に、光触媒84で被覆された繊維状体86が多数配置されることとなる。上記繊維状体86は、ガラス繊維や樹脂繊維等の繊維90の表面に光触媒84をコーティングして構成されているものである（図１０及び図１１）。
【０００５】
上記浄化装置70は、光源74から光触媒活性化作用を有する波長の光が放射されると、該光は導光板72の一端面72ａから導光板72内部に入射した後、上記反射凹部80で反射されて導光板72の表面及び裏面から出射し、さらに、透明板82を透過して光触媒84を活性化することにより、空気や水の浄化を行うことができるようになっている。
【０００６】
而して、上記浄化装置70にあっては、導光板72の表面及び裏面上に配置した透明板82の表面に、光触媒84で被覆された多数の繊維状体86を、透明板82表面に対して略垂直に立設状態で被着したことから、光触媒84が配置される導光板72の表面側及び裏面側の表面積が、被着された多数の繊維状体86の表面積分増大することとなり、この結果、導光板72の表面側及び裏面側に配置される光触媒84の表面積を飛躍的に拡大することができる。
【発明の開示】
【発明が解決しようとする課題】
【０００７】
上記浄化装置70は、面状発光部を構成する透明板82の表面に、光触媒84で被覆された多数の細長い繊維状体86を、透明板82表面に対して略垂直に立設状態で被着していたが、透明板82表面の繊維状体86に触れる等して外力が加えられると、繊維状体86が比較的簡単に剥離してしまうため、その取扱いが不便であった。
【０００８】
本発明は、上記従来の問題点に鑑みてなされたものであり、その目的とするところは、光触媒の表面積を大きく確保することができると共にその取扱いが容易な浄化装置の実現にある。
【課題を解決するための手段】
【０００９】
上記の目的を達成するため、本発明に係る浄化装置は、光触媒活性化作用を有する波長の光を出射する面状発光部を備えた浄化装置であって、上記面状発光部の外表面に、透孔を多数備えた多孔体を積層すると共に、該多孔体を構成する各透孔の内壁面及び各透孔に囲繞された面状発光部の外表面に光触媒を担持させたことを特徴とする。
【００１０】
上記面状発光部の外表面を、曲面と成しても良い。
【発明の効果】
【００１１】
本発明の浄化装置にあっては、光触媒活性化作用を有する波長の光を出射する面状発光部の外表面に多孔体を積層し、該多孔体を構成する透孔の内壁面、及び各透孔に囲繞された面状発光部の外表面に光触媒を担持させたので、単位体積当たりの光触媒の表面積を大きく確保することができる。
また、本発明の浄化装置は、多数の透孔の内壁面に光触媒を担持せしめて成る多孔体を用い、該多孔体を面状発光部の外表面に積層したことから、面状発光部の外表面に、剥離し易い光触媒84で被覆された繊維状体86を被着した従来の浄化装置70に比べて、その取扱いが容易である。
【００１２】
上記面状発光部の外表面を、曲面と成した場合、面状発光部の外表面が平面である場合に比べて、面状発光部外表面の表面積を増大させることができ、その分、面状発光部外表面に配置される光触媒の表面積を拡大することができる。
【発明を実施するための最良の形態】
【００１３】
以下、図面に基づき、本発明に係る浄化装置の実施形態を説明する。
図１は、本発明に係る第１の浄化装置10を示すものであり、該浄化装置10は、アクリル樹脂、ガラス、ポリカーボネート樹脂等より成る平板状の透光性導光板11及び該透光性導光板11の表面上及び裏面上に配置したガラスや樹脂等の透光性材料より成る透明板12とで構成された第１の面状発光部13と、上記透光性導光板11の一端面11ａに沿って配置された冷陰極管より成る光源14と、該光源14の外側方を覆う反射板16を備えている。
また、上記光源14の配置される透光性導光板11の一端面11ａ以外の端面には、光反射率の高い金属等より成る反射テープ18が被着されている。
上記光源14は、光触媒活性化作用を有する波長の紫外線を放射するものであり、上記冷陰極管に限らず、発光ダイオード（ＬＥＤ）等を用いることもできる。
【００１４】
上記透光性導光板11の表面及び裏面には、略円錐形状の反射凹部20が多数形成されている。この反射凹部20は、透光性導光板11の一端面11ａから入射してきた光を、透光性導光板11の表面側及び裏面側に反射させて、第１の面状発光部13の表面及び裏面全体から光を均一に出射させるために設けられたものである。すなわち、透光性導光板11の表面に形成された反射凹部20で反射された光は第１の面状発光部13の裏面側に導かれ、透光性導光板11の裏面に形成された反射凹部20で反射された光は第１の面状発光部13の表面側に導かれる。
上記反射凹部20の寸法は、透光性導光板11の厚さが５mmの場合において、深さが0.085mm〜0.116mm程度、隣接する反射凹部20間のピッチは0.5mm程度と成される。
上記反射凹部20は、透光性導光板11の表面及び裏面にレーザ照射を行うことにより形成することができる。
【００１５】
上記第１の面状発光部13の外表面としての表面及び裏面には、略六角形の透孔22（図２参照）を多数備えたハニカム状構造の多孔体24が積層されており、多孔体24を構成する各透孔22は、第１の面状発光部13の表面及び裏面に略垂直に配置されている。
また、各透孔22の内壁面、及び各透孔22に囲繞された第１の面状発光部13の表面及び裏面には、アナターゼ型の酸化チタン（ＴｉＯ２）より成る光触媒26が被着・担持されている。
【００１６】
上記多孔体24は、樹脂、セラミック、紙、ガラス、金属等適宜な材料で構成することができ、多孔体24と第１の面状発光部13の表面及び裏面とは、光触媒活性化作用を有する波長の紫外線や可視光等の光を透過させる透光性材料より成る接着剤（図示せず）を介して接合することができる。このような接着剤としては、例えば、アルカリシリケート結合物、エチルシリケート結合物、アルコキシラン結合物、有機官能基を部分的に導入したアルコキシラン結合物及び有機ポリマーを反応させたアルコキシラン結合物等の無機結合材やハイブリッド系無機結合材を用いることができる。
【００１７】
また、上記多孔体24は、次の方法により形成することもできる。すなわち、第１の面状発光部13を構成する上記透明板12上に透明導電膜（図示せず）を形成すると共に、該透明導電膜上にアルミニウム薄膜を被着し、その後、上記透明導電膜に電圧を印加して上記アルミニウム薄膜を電気分解する。この結果、第１の面状発光部13の表面及び裏面上に、酸化アルミニウムより成る透孔22を多数備えた多孔体24が形成されるのである。
【００１８】
各透孔22の内壁面、及び第１の面状発光部13の表面及び裏面への光触媒26の被着は、第１の面状発光部13の表面及び裏面に多孔体24を積層した後、各透孔22内に粒子状の光触媒の分散液を所定量注入後、乾燥させることにより行うことができる。
【００１９】
上記第１の浄化装置10にあっては、光源14から紫外線が放射されると、該紫外線は、透光性導光板11の一端面11ａから透光性導光板11内部に入射後、上記反射凹部20で反射された後、上記透明板12を透過して、第１の面状発光部13の表面及び裏面から出射し、多孔体24を構成する各透孔22の内壁面、及び第１の面状発光部13の表面及び裏面の光触媒26に照射される。この結果、光触媒26が活性化して空気や水の浄化を行うことができるのである。
尚、光源14から放射された紫外線の中で、透光性導光板11の一端面11ａ側へ向かわなかった光も、上記反射板16で反射させて透光性導光板11の一端面11ａ側へ導くことができるため、光触媒26の活性化効率が高い。
さらに、上記反射テープ18により、透光性導光板11の一端面11ａ以外の端面から光が逃げるのを防止することができるようになっている。
【００２０】
而して、この第１の浄化装置10にあっては、第１の面状発光部13の表面及び裏面に多孔体24を積層し、該多孔体24を構成する透孔22の内壁面、及び各透孔22に囲繞された第１の面状発光部13の表面及び裏面に光触媒26を担持させたので、単位体積当たりの光触媒26の表面積を大きく確保することができるようになっている。
また、第１の浄化装置10にあっては、多数の透孔22の内壁面に光触媒26を担持せしめて成る多孔体24を用い、該多孔体24を第１の面状発光部13の表面及び裏面に積層したことから、面状発光部（透明板82）の外表面に、剥離し易い光触媒84で被覆された繊維状体86を被着した従来の浄化装置70に比べて、その取扱いが容易である。
【００２１】
尚、上記においては、略六角形の透孔22を多数有するハニカム状構造の多孔体24を例に挙げて説明したが、多孔体の形状はこれに限定されるものではない。例えば、図３に示すように、略三角形の透孔22を多数有する多孔体25を用いることもできる。その他、図示は省略するが、四角形等の多角形の透孔や、略円形の透孔を多数有する多孔体であっても良い。
【００２２】
図４は、本発明に係る第２の浄化装置28を示すものであり、該第２の浄化装置28は、一面に複数本の第１の帯状放電電極29を並設した石英ガラス等の紫外線を透過させる透光性基板より成る第２の面状発光部30と、一面に複数本の第２の帯状放電電極31を並設した石英ガラス等の紫外線を透過させる透光性基板より成る第３の面状発光部32とを、第１の帯状放電電極29と第２の帯状放電電極31とが所定の間隙を隔てて交差するように配置し、両面状発光部30，32周縁を低融点ガラス等の封着材33を介して気密に封止して気密外囲器34を形成し、該気密外囲器34内に、放電ガスとして、アルゴンと水銀とを混合してなる紫外線放射ガス、或いは、キセノンを主体とした紫外線放射ガスを充填して成る。
【００２３】
また、隣接する第１の帯状放電電極29同士の間には、低融点ガラス等より成るバリアリブ35が配設されている。さらに、第１の帯状放電電極29が配設されていない箇所の第２の面状発光部30の内表面、第２の帯状放電電極31が配設されていない箇所の第３の面状発光部32の内表面、バリアリブ35の表面には、後述する紫外線波長変換用の蛍光体層36が形成されている。
【００２４】
さらに、上記第２の面状発光部30及び第３の面状発光部32の外表面には、上記多孔体24が積層されており、該多孔体24を構成する透孔22の内壁面、及び各透孔22に囲繞された第２の面状発光部30及び第３の面状発光部32の外表面に光触媒26が被着・担持されている。
【００２５】
上記蛍光体層36は、放電によって紫外線放射ガスから放射される様々な波長の紫外線の中で、３００ｎｍ未満の波長の紫外線を、光触媒26の活性化に特に適した３００〜４００ｎｍの波長の紫外線に変換するために設けられたものである。
上記蛍光体層36は、例えば、（ＣａＺｎ）３（ＰＯ４）２：Ｔｌ、Ｃａ３（ＰＯ４）２：Ｔｌ、ＳｒＢ４Ｏ７：Ｅｕ、（Ｂａ，Ｓｒ，Ｍｇ）３Ｓｉ２Ｏ７：Ｐｂ、ＢａＳｉ２Ｏ５：Ｐｂ、ＹＰＯ４：Ｃｅ、Ｃｅ（Ｍｇ，Ｂａ）Ａｌ１１Ｏ１９、ＬａＰＯ４：Ｃｅ等の少なくとも１種を含む材料で構成することができる。
このように、上記蛍光体層36を設けたことにより、紫外線放射ガスから放射され、上記光触媒26に照射される各種波長の紫外線の中で、該光触媒26の活性化にあまり寄与しない波長（３００ｎｍ未満の波長）の紫外線が、光触媒26の活性化に特に適した波長の紫外線（３００〜４００ｎｍ）に変換されるので、光触媒26の活性化を促進することができる。
【００２６】
上記第２の浄化装置28にあっては、第１の帯状放電電極29と第２の帯状放電電極31間で放電が生成されると、電子が紫外線放射ガスに衝突し、ガスの種類に応じた様々な波長の紫外線が生成される。生成された紫外線は、蛍光体層36に照射されることにより、光触媒26の活性化に特に適した波長の紫外線（３００〜４００ｎｍ）に変換された後、第２の面状発光部30及び第３の面状発光部32の外表面から出射され、多孔体24を構成する各透孔22の内壁面、及び第２の面状発光部30及び第３の面状発光部32の外表面の光触媒26に照射される。この結果、光触媒26が活性化して空気や水の浄化を行うことができるのである。
【００２７】
而して、この第２の浄化装置28にあっては、第２の面状発光部30及び第３の面状発光部32の外表面に多孔体24を積層し、該多孔体24を構成する透孔22の内壁面、及び各透孔22に囲繞された第２の面状発光部30及び第３の面状発光部32の外表面に光触媒26を担持させたので、単位体積当たりの光触媒26の表面積を大きく確保することができるようになっている。
また、多数の透孔22の内壁面に光触媒26を担持せしめて成る多孔体24を用い、該多孔体24を第２の面状発光部30及び第３の面状発光部32の外表面に積層したことから、面状発光部（透明板82）の外表面に、剥離し易い光触媒84で被覆された繊維状体86を被着した従来の浄化装置70に比べて、その取扱いが容易である。
【００２８】
図５は、本発明に係る第３の浄化装置37を示すものであり、該第３の浄化装置37は、石英ガラス等の紫外線を透過させる曲板状の透光性基板より成る第４の面状発光部38と、ガラス等の絶縁性材料より成る平板状の基板39とを、所定の間隙を隔てて対向配置し、上記第４の面状発光部38及び基板39周縁を低融点ガラス等の封着材40を介して気密に封止して気密外囲器41を形成し、該気密外囲器41内に、放電ガスとして、アルゴンと水銀とを混合してなる紫外線放射ガス、或いは、キセノンを主体とした紫外線放射ガスを充填して成る。
【００２９】
また、上記基板39の内表面には、一対の帯状の放電電極42，42が所定の間隙を隔てて対向配置されている。
さらに、上記第４の面状発光部38の内表面には、上記した紫外線波長変換用の蛍光体層36が形成されている。尚、この蛍光体層36は、上記放電電極42，42が配置されていない個所の基板39内表面に形成しても良い。
上記の通り、第４の面状発光部38が曲板状であるため、第４の面状発光部38の外表面は曲面と成されている。
【００３０】
また、上記第４の面状発光部38の外表面には、上記多孔体24が積層されており、該多孔体24を構成する透孔22の内壁面、及び各透孔22に囲繞された第４の面状発光部38の外表面に光触媒26が被着・担持されている。
【００３１】
上記第３の浄化装置37にあっては、一対の放電電極42，42間で放電が生成されると、電子が紫外線放射ガスに衝突し、ガスの種類に応じた様々な波長の紫外線が生成される。生成された紫外線は、蛍光体層36に照射されることにより、光触媒26の活性化に特に適した波長の紫外線（３００〜４００ｎｍ）に変換された後、第４の面状発光部38の外表面から出射され、多孔体24を構成する各透孔22の内壁面及び第４の面状発光部38の外表面の光触媒26に照射される。この結果、光触媒26が活性化して空気や水の浄化を行うことができるのである。
【００３２】
而して、第３の浄化装置37にあっては、第４の面状発光部38が曲板状であり、第４の面状発光部38の外表面が曲面と成されているので、第４の面状発光部38の外表面が平面である場合に比べて、第４の面状発光部38外表面の表面積を増大させることができ、その分、第４の面状発光部38外表面に配置される光触媒26の表面積を拡大することができる。
また、この第３の浄化装置37は、第４の面状発光部38の外表面に多孔体24を積層し、該多孔体24を構成する透孔22の内壁面、及び各透孔22に囲繞された第４の面状発光部38の外表面に光触媒26を担持させたので、単位体積当たりの光触媒26の表面積を大きく確保することができるようになっている。
また、多数の透孔22の内壁面に光触媒26を担持せしめて成る多孔体24を用い、該多孔体24を第４の面状発光部38の外表面に積層したことから、面状発光部（透明板82）の外表面に、剥離し易い光触媒84で被覆された繊維状体86を被着した従来の浄化装置70に比べて、その取扱いが容易である。
【００３３】
図６は、本発明に係る第４の浄化装置43を示すものである。この第４の浄化装置43は、上記第３の浄化装置37における基板39に代えて、石英ガラス等の紫外線を透過させる曲板状の透光性基板より成る第５の面状発光部44を用い、該第５の面状発光部44の内表面に、一対の帯状の放電電極42，42を所定の間隙を隔てて対向配置すると共に紫外線波長変換用の蛍光体層36を形成し、さらに、第５の面状発光部44の外表面に上記多孔体24を積層した点に特徴を有するものであり、上下両面（第４の面状発光部38の外表面及び第５の面状発光部44の外表面）において光触媒26による空気や水の浄化を行うことができるようになっている。
【００３４】
上記光触媒26は、ＴｉＯ２、ＺｎＯ、ＳｒＴｉＯ３、ＢａＴｉＯ３、Ｆｅ２Ｏ３等、光触媒作用を有する金属酸化物で構成されるが、上記アナターゼ型の酸化チタンが、光触媒活性に優れており最も好適に使用できる。
また、上記光触媒26は、紫外線の照射を受けて活性化する光触媒だけでなく、可視光の照射を受けて活性化する可視光型光触媒を用いることもできる。この場合、第１の浄化装置10の第１の面状発光部14、第２の浄化装置28の第２の面状発光部30及び第３の面状発光部32、第３の浄化装置37の第４の面状発光部38、第４の浄化装置43の第４の面状発光部38及び第５の面状発光部44は、可視光型光触媒を活性化させる波長の可視光を透過させる透光性材料で構成される。また、第１の浄化装置10の光源14は、可視光型光触媒を活性化させる波長の可視光を放射するものが用いられる。さらに、第２の浄化装置28、第３の浄化装置37及び第４の浄化装置43の気密外囲器34，41内には、可視光型光触媒を活性化させる波長の可視光を放射する放電ガスが充填され、また、上記紫外線波長変換用の蛍光体層36は不要となる。
【００３５】
図７は、本発明に係る第５の浄化装置45を示すものであり、該第５の浄化装置45は、樹脂やセラミック等の絶縁材料より成る基板46上に、複数のＬＥＤチップ47を接続・固定して成る。また、上記基板46の底面には、一対の外部電極48ａ，48ｂが接続されており、これら外部電極48ａ，48ｂの一端は、上記基板46を貫通して基板44表面に露出している。
各ＬＥＤチップ47上面の一方の電極（図示せず）は、ボンディングワイヤ49及び基板46表面に形成された配線パターン（図示せず）を介して、一方の外部電極48ａに接続されると共に、各ＬＥＤチップ47上面の他方の電極（図示せず）は、ボンディングワイヤ49及び基板46表面に形成された配線パターン（図示せず）を介して、他方の外部電極48ｂに接続されている。
また、ＬＥＤチップ47の配置された基板46表面は、エポキシ樹脂、シリコン樹脂、アクリル樹脂等より成り、光触媒活性化作用を有する波長の紫外線や可視光等の光を透過させる略直方体形状と成された透光性の第６の面状発光部50によって被覆・封止されている。
【００３６】
さらに、上記第６の面状発光部50の外表面には、上記多孔体24が積層されており、該多孔体24を構成する透孔22の内壁面、及び各透孔22に囲繞された第６の面状発光部50の外表面に光触媒26が被着・担持されている。
【００３７】
上記第５の浄化装置45にあっては、一対の外部電極48ａ，48ｂを介してＬＥＤチップ47に電圧が印加されると、ＬＥＤチップ47が発光して光触媒活性化作用を有する波長の光（紫外線や可視光）が放射され、この光が第６の面状発光部50の外表面から出射され、多孔体24を構成する各透孔22の内壁面及び第６の面状発光部50の外表面の光触媒26に照射される。この結果、光触媒26が活性化して空気や水の浄化を行うことができるのである。
【００３８】
この第５の浄化装置45は、第６の面状発光部50の外表面に多孔体24を積層し、該多孔体24を構成する透孔22の内壁面、及び各透孔22に囲繞された第６の面状発光部50の外表面に光触媒26を担持させたので、単位体積当たりの光触媒26の表面積を大きく確保することができるようになっている。
また、多数の透孔22の内壁面に光触媒26を担持せしめて成る多孔体24を用い、該多孔体24を第６の面状発光部50の外表面に積層したことから、面状発光部（透明板82）の外表面に、剥離し易い光触媒84で被覆された繊維状体86を被着した従来の浄化装置70に比べて、その取扱いが容易である。
【図面の簡単な説明】
【００３９】
【図１】本発明に係る第１の浄化装置を模式的に示す断面図である。
【図２】本発明に係る多孔体を模式的に示す正面図である。
【図３】本発明に係る他の多孔体を模式的に示す正面図である。
【図４】本発明に係る第２の浄化装置を模式的に示す断面図である。
【図５】本発明に係る第３の浄化装置を模式的に示す断面図である。
【図６】本発明に係る第４の浄化装置を模式的に示す断面図である。
【図７】本発明に係る第５の浄化装置を模式的に示す断面図である。
【図８】従来の浄化装置を示す断面図である。
【図９】従来の浄化装置の要部を拡大して示す概略断面図である。
【図１０】従来の浄化装置における繊維状体の拡大縦断面図である。
【図１１】従来の浄化装置における繊維状体の拡大横断面図である。
【符号の説明】
【００４０】
10      第１の浄化装置
11      透光性導光板
12      透明板
13      第１の面状発光部
14      光源
22      透孔
24，25  多孔体
26      光触媒
28      第２の浄化装置
30      第２の面状発光部
32      第３の面状発光部
34，41  気密外囲器
36      蛍光体層
37      第３の浄化装置
38      第４の面状発光部
43      第４の浄化装置
44      第５の面状発光部
45      第５の浄化装置
47      ＬＥＤチップ
50      第６の面状発光部
【図１】
2005103349.tif 000003
【図２】
2005103349.tif 000004
【図３】
2005103349.tif 000005
【図４】
2005103349.tif 000006
【図５】
2005103349.tif 000007
【図６】
2005103349.tif 000008
【図７】
2005103349.tif 000009
【図８】
2005103349.tif 000010
【図９】
2005103349.tif 000011
【図１０】
2005103349.tif 000012
【図１１】
2005103349.tif 000013